(57)【要約】【課題】余分な製造コスト及び製造工程を費やすことなく、小便器の使用者が用を足す間、使用者の所持する荷物を小便器自体に保持させることにより、使用者が快適に用を足すことが可能となる男性用小便器を提供すること。【解決手段】小便を受ける部分を内側とし、小便を受ける部分以外の部分を外側としたとき、小便器の外側の一部が突出することにより、荷物保持部が形成されている。【選択図】図１
0003140374.tif 000002
【実用新案登録請求の範囲】
【請求項１】
小便を受ける部分を内側とし、
小便を受ける部分以外の部分を外側としたとき、
小便器の外側の一部が突出することにより、荷物保持部が形成されていることを特徴とする男性用小便器。
【請求項２】
前記荷物保持部は、小便器の外側上部又は／及び外側側部に形成されていることを特徴とする請求項１に記載の男性用小便器。
【請求項３】
小便を受ける側を正面側とし、
小便を受ける側の反対側を背面側としたとき、
前記荷物保持部は、小便器の外側上面の左端又は／及び右端に、正面側端部から背面側端部までの長さで形成されていることを特徴とする請求項２に記載の男性用小便器。
【請求項４】
小便器の外側上面の左端又は／及び右端の中央寄りに、傘の保持のために連続した溝が形成されていることを特徴とする請求項１乃至３のいずれかに記載の男性用小便器。
【請求項５】
小便器の外側上面の左端又は／及び右端の中央寄りに、傘の保持のために窪みが形成されていることを特徴とする請求項１乃至３に記載の男性用小便器。
【考案の詳細な説明】
【技術分野】
【０００１】  本考案は、男性用小便器に関し、特に小便器の使用者の所持する荷物を、小便器自体に保持させることができる男性用小便器に関する。
【背景技術】
【０００２】  便所においては、男性用や女性用、和式や様式、小便器や大便器のように、その用途に応じた便器が設置されている。
便所の中でも、例えば公園や駅のような公共機関の従来の小便器は、図８のような直方体を基本としたシンプルな構造により形成されている。
小便器ではないが、関連技術として、小便器の機能性を補完するために、小便器とは分離してトイレ用傘置きを設置する技術がある（特許文献１、参照）。【０００３】
【特許文献１】  実用新案登録第３１１２２９８号
【考案の開示】
【考案が解決しようとする課題】
【０００４】  しかしながら、従来の小便器はシンプルな構造ゆえに、小便器の使用者にとって機能性を十分に発揮しているとはいいがたい。例えば、従来の小便器の機能を示す図９より、使用者が用を足すときに、傘や鞄のような荷物を保持したまま用を足さなければならず、保持した荷物に小便が付着したり、小便途中に荷物を便所の床に誤って落とすなど、小便器の使用者にとっては快適に用を足すことができない場合がある。【０００５】  ここで、特許文献１の従来技術を従来の小便器に応用した場合、傘置きとしては使用できるが、鞄など他の荷物については機能性を発揮することができない。また、前記傘置きは小便器とは分離して設置されることから、小便器とは別個に製造されなければならない。そのため、小便器の設置の際に、前記傘置きの分だけ余分な製造コスト及び製造工程を費やすことになる。【０００６】  そこで、本考案の目的は、余分な製造コスト及び製造工程を費やすことなく、小便器の使用者が用を足す間、使用者の所持する荷物を小便器自体に保持させることにより、使用者が快適に用を足すことが可能となる男性用小便器を提供することにある。
【課題を解決するための手段】
【０００７】  本考案の第一の態様は、小便を受ける部分を内側とし、小便を受ける部分以外の部分を外側としたとき、小便器の外側の一部が突出することにより、荷物保持部が形成されていることを特徴とする。【０００８】  本考案の第二の態様は、第一の態様に記載の考案において、前記荷物保持部は、小便器の外側上部又は／及び外側側部に形成されていることを特徴とする。【０００９】  本考案の第三の態様は、第二の態様に記載の考案において、小便を受ける側を正面側とし、小便を受ける側の反対側を背面側としたとき、前記荷物保持部は、小便器の外側上面の左端又は／及び右端に、正面側端部から背面側端部までの長さで形成されていることを特徴とする。【００１０】  本考案の第四の態様は、第一乃至第三のいずれかの態様に記載の考案において、小便器の外側上面の左端又は／及び右端の中央寄りに、傘の保持のために連続した溝が形成されていることを特徴とする。【００１１】  本考案の第五の態様は、第一乃至第三のいずれかの態様に記載の考案において、小便器の外側上面の左端又は／及び右端の中央寄りに、傘の保持のために窪みが形成されていることを特徴とする
【考案の効果】
【００１２】  本考案において、余分な製造コスト及び製造工程を費やすことなく、小便器の使用者が用を足す間、使用者の所持する荷物を小便器自体に保持させることにより、使用者が快適に用を足すことができる。
【考案を実施するための最良の実施の形態】
【００１３】  以下、本考案を実施するための最良の形態を説明するが、この実施の形態は例示的に示されるもので、本考案の技術思想から逸脱しない限り種々の変形が可能である。
図１に、本実施形態における男性用小便器の概略図を示す。
本実施形態における男性用小便器は、直方体を基本とした構造を有する。直方体のうち、使用者が小便をかける予定の部分を予めくりぬいておき、小便を受ける部分を内側とし、小便を受ける部分以外の部分を外側としている。小便器の内側上部又は／及び側部には小便器の内側を水洗するための水洗水供給口、小便器の内側下部にはかけられた小便を小便器に接続された排出路により排出するための排出口が設けられている。
本実施形態においては、小便器の外側の一部が突出することにより、荷物保持部が形成されている。図１より、前記荷物保持部は、小便器の外側上部に形成されていることが好ましい。外側上部に形成されることにより、小便器の左右幅を減少させることができ、省スペース化が可能となるためである。なお、本考案の別の実施形態における男性用小便器を示す図２のように、前記荷物保持部は、小便器の外側上部又は／及び外側側部に形成されていてもよい。小便器の外側側部に荷物保持部が形成されることにより、保持した荷物に小便がかかる可能性を減少させることができるためである。
なお、小便器の外側上部が取り外し可能となっている場合においても上記構成を採用することができる。
【００１４】  また、小便を受ける側を正面側とし、小便を受ける側の反対側を背面側としたとき、前記荷物保持部は、小便器の外側上面の左端又は／及び右端に、正面側端部から背面側端部までの長さの範囲で形成されていることが好ましい。例えば、図３のように、正面側端部から背面側端部までの長さの荷物保持部が形成されていれば、傘を前記荷物保持部に掛けることにより、使用者が傘を保持することなく用を足すことができる。さらに、図４のように、外側上面の左端と右端の荷物保持部の間に荷物を挟むことにより、使用者が荷物を保持することなく用を足すことができる。また、図５のように、正面側端部から背面側端部の長さ未満の荷物保持部が形成されていれば、取っ手付荷物、例えば取っ手付鞄を前記荷物保持部に掛けることにより、使用者が鞄を保持することなく用を足すことができる。
【００１５】  本考案の別の実施の形態を示す図６のように、小便器の外側上面の左端又は／及び右端の中央寄りに、傘の保持のために連続した溝が形成されているのが好ましい。前記溝を形成することにより、外側上面の左端又は／及び右端を、前記溝に比べて相対的に突出させて左端又は／及び右端を荷物保持部とするためである。図６に示すように、傘の取っ手の末端部分を前記溝に嵌合させることにより、使用者が傘を保持することなく用を足すことができる。なお、本考案の別の実施の形態を示す図７のように、前記溝の代わりに、傘の取っ手の末端部分の断面よりも大きな窪みが形成されていてもよい。傘の取っ手の末端部分をこの窪みに嵌合させることにより、使用者が傘を保持することなく用を足すことができるためである。前記溝又は窪みは、左右両端から中央寄りに１０ｃｍ程度の位置に設けられるのが好ましい。傘を安定して掛けることができるためである。
【００１６】  本考案における実施形態によれば、以下のような効果を得ることができる。
荷物保持部が男性用小便器の一部によって形成されるため、新たに荷物保持部を別個に製造する必要がなく、余分な製造コスト及び製造工程を費やすことがない。さらに、男性用小便器の使用者が用を足す間、使用者の所持する荷物を男性用小便器自体に保持させることにより、使用者が快適に用を足すことができる。
【図面の簡単な説明】
【００１７】
【図１】本実施形態における男性用小便器の概略図である。
【図２】別の実施形態における男性用小便器の概略図である。
【図３】本実施形態における男性用小便器の荷物保持機能を示す説明図である。
【図４】本実施形態における男性用小便器の荷物保持機能を示す説明図である。
【図５】別の実施形態における男性用小便器の荷物保持機能を示す説明図である。
【図６】別の実施形態における男性用小便器の荷物保持機能を示す説明図である。
【図７】別の実施形態における男性用小便器の荷物保持機能を示す説明図である。
【図８】従来技術における男性用小便器の概略図である。
【図９】従来技術における男性用小便器の説明図である。
【符号の説明】
【００１８】１    小便器
２    荷物保持部
３    荷物
４    傘
５    傘の取っ手
６    取っ手付鞄
７    溝
８    窪み
【図１】
0003140374.tif 000003
【図２】
0003140374.tif 000004
【図３】
0003140374.tif 000005
【図４】
0003140374.tif 000006
【図５】
0003140374.tif 000007
【図６】
0003140374.tif 000008
【図７】
0003140374.tif 000009
【図８】
0003140374.tif 000010
【図９】
0003140374.tif 000011
【手続補正書】
【提出日】平成19年12月19日(2007.12.19)
【手続補正１】
【補正対象書類名】実用新案登録請求の範囲
【補正対象項目名】全文
【補正方法】変更
【補正の内容】
【実用新案登録請求の範囲】
【請求項１】
小便を受ける部分を内側とし、
小便を受ける部分以外の部分を外側としたとき、
小便器の外側の一部が突出することにより、荷物保持部が形成されていることを特徴とする男性用小便器。
【請求項２】
前記荷物保持部は、小便器の外側上部又は／及び外側側部に形成されていることを特徴とする請求項１に記載の男性用小便器。
【請求項３】
小便を受ける側を正面側とし、
小便を受ける側の反対側を背面側としたとき、
前記荷物保持部は、小便器の外側上面の左端又は／及び右端に、正面側端部から背面側端部までの長さで形成されていることを特徴とする請求項２に記載の男性用小便器。
【請求項４】
小便器の外側上面の左端又は／及び右端の中央寄りに、傘の保持のために連続した溝が形成されていることを特徴とする請求項１乃至３のいずれかに記載の男性用小便器。
【請求項５】
小便器の外側上面の左端又は／及び右端の中央寄りに、傘の保持のために窪みが形成されていることを特徴とする請求項１乃至３のいずれかに記載の男性用小便器。